(57)【特許請求の範囲】
【請求項１】
上下軸方向に所定の間隔で孔付きのフランジが固定され、順次継ぎ足しが可能となる支柱と、上部両側に支柱へ上下スライド可能に係合する係止金具と下部両側にフランジへの結合金具が取り付けられた手摺り枠と、フランジとの結合により隣接する二本の支柱を所定の間隔で結合するための結合部材と、対向する結合部材間に架設する足場板とを用い、結合部材で結合した二本一組の支柱を対向状に配置し、対向する結合部材間に架設した足場板上で、先ず、上記各支柱の上端に上位支柱の継ぎ足し作業を行い、次に、両側に対向する継ぎ足し支柱間に手摺り枠を臨ませ、上部両側の係止金具を両側の継ぎ足し支柱にそれぞれ係合させた状態で継ぎ足し支柱をガイドに手摺り枠を上方にスライドさせ、その押し上げ位置で下部両側の結合金具を上部継ぎ足し支柱のフランジに結合して手摺り枠の取り付け作業を行い、上部継ぎ足し支柱への足場板の架設前に先行して上部継ぎ足し支柱間に手摺り枠を取り付けることを特徴とする仮設構造物の構築方法。
【請求項２】
上下軸方向に所定の間隔で孔付きのフランジが固定され、順次継ぎ足しが可能となる支柱と、上部両側にフランジへの係止金具と下部両端にフランジへの結合金具が取り付けられ、斜材の交差角度の変化で上下の高さ寸法が変化する機能のある筋交い手摺り枠と、フランジとの結合により隣接する二本の支柱を所定の間隔で結合するための結合部材と、対向する結合部材間に架設する足場板とを用い、結合部材で結合した二本一組の支柱を対向状に配置し、対向する結合部材間に架設した足場板上で、先ず、上記各支柱の上端に上位支柱の継ぎ足し作業を行い、次に、両側に対向する継ぎ足し支柱間に筋交い手摺り枠を臨ませ、この筋交い手摺り枠を上下に伸ばした状態にして上部両側の係止金具を両側の継ぎ足し支柱の上位フランジにそれぞれ係合させ、続いて筋交い手摺り枠を縮めた状態にして下部両端の結合金具を上部継ぎ足し支柱の中間フランジに結合して筋交い手摺り枠の取り付け作業を行い、上部継ぎ足し支柱への足場板の架設前に先行して上部継ぎ足し支柱間に筋交い手摺り枠を取り付けることを特徴とする仮設構造物の構築方法。
【発明の詳細な説明】
【０００１】
【発明の属する技術分野】
この発明は、建設工事の仮設足場やローリングタワー、室内足場等の多目的な用途に用いることができる仮設構造物の構築方法に関する。
【０００２】
【従来の技術】
従来、各種建物や土木等の建設工事に使用される一般的な仮設枠組足場は、門型や鳥居型の建枠と交差筋交い及び足場板を使用し、対向させた建枠を交差筋交いで結合すると共に、対向する建枠の上部に足場板を架設し、建枠の上方への継ぎ足しと水平方向への建て増しを行なうことにより、所望する高さと平面的な長さを有する足場を構築するものである。
【０００３】
【発明が解決しようとする課題】
ところで、上記従来の枠組足場の構築方法では、対向する建枠の上部間に架設した足場板の上で上方への継ぎ足し作業を行なうとき、足場板の上部周囲に何も存在しないことになり、このため、高所作業となる足場板上での組み立て作業の安全対策が取れず、墜落のような事故が発生する危険性があるという問題がある。  そこで、この発明の課題は、足場板の上部周囲に先行して安全手摺り枠を配置することができ、高所作業となる足場板上での組み立て作業の安全確保が実現できる仮設構造物の構築方法を提供することにある。
【０００４】
【課題を解決するための手段】
上記のような課題を解決するため、請求項１の発明は、上下軸方向に所定の間隔で孔付きのフランジが固定され、順次継ぎ足しが可能となる支柱と、上部両側に支柱へ上下スライド可能に係合する係止金具と下部両側にフランジへの結合金具が取り付けられた手摺り枠と、フランジとの結合により隣接する二本の支柱を所定の間隔で結合するための結合部材と、対向する結合部材間に架設する足場板とを用い、結合部材で結合した二本一組の支柱を対向状に配置し、対向する結合部材間に架設した足場板上で、先ず、上記各支柱の上端に上位支柱の継ぎ足し作業を行い、次に、両側に対向する継ぎ足し支柱間に手摺り枠を臨ませ、上部両側の係止金具を両側の継ぎ足し支柱にそれぞれ係合させた状態で継ぎ足し支柱をガイドに手摺り枠を上方にスライドさせ、その押し上げ位置で下部両側の結合金具を上部継ぎ足し支柱のフランジに結合して手摺り枠の取り付け作業を行い、上部継ぎ足し支柱への足場板の架設前に先行して上部継ぎ足し支柱間に手摺り枠を取り付ける構成を採用したものである。
【０００５】
請求項２の発明は、上下軸方向に所定の間隔で孔付きのフランジが固定され、順次継ぎ足しが可能となる支柱と、上部両側にフランジへの係止金具と下部両端にフランジへの結合金具が取り付けられ、斜材の交差角度の変化で上下の高さ寸法が変化する機能のある筋交い手摺り枠と、フランジとの結合により隣接する二本の支柱を所定の間隔で結合するための結合部材と、対向する結合部材間に架設する足場板とを用い、結合部材で結合した二本一組の支柱を対向状に配置し、対向する結合部材間に架設した足場板上で、先ず、上記各支柱の上端に上位支柱の継ぎ足し作業を行い、次に、両側に対向する継ぎ足し支柱間に筋交い手摺り枠を臨ませ、この筋交い手摺り枠を上下に伸ばした状態にして上部両側の係止金具を両側の継ぎ足し支柱の上位フランジにそれぞれ係合させ、続いて筋交い手摺り枠を縮めた状態にして下部両端の結合金具を上部継ぎ足し支柱の中間フランジに結合して筋交い手摺り枠の取り付け作業を行い、上部継ぎ足し支柱への足場板の架設前に先行して上部継ぎ足し支柱間に筋交い手摺り枠を取り付ける構成を採用したものである。
【０００６】
【発明の実施の形態】
以下、この発明の実施の形態を図示例と共に説明する。
【０００７】
図１乃至図１１は、先行手摺り枠を用いた仮設足場の組み立てた状態とこれに用いる構成部材を示し、この仮設足場の基本的な構成部材には、図４に示すように、ジャッキベース１と、このジャッキベース１上に起立させる下部支柱２と、下部支柱２上に接続すると共に上方に継ぎ足して行く支柱３と、必要な長さだけ順次継ぎ足していく中間支柱４と、図５乃至図７に示すように、隣接する支柱２を互いに結合する筋交い部材５と、筋交い部材５の間に架設する足場板６と、対向する支柱２間に取り付ける先行手摺り枠７と、対向する下部支柱２や中間支柱４等を互いに結合するための水平材８等が用意されている。
【０００８】
先ず、下部支柱２と中間支柱４は、所定の直径を有する短い鋼管を用いて形成し、上端に支柱３を接続するための小径ジョイントパイプ９が設けられ、下部支柱２は上端部に孔付きのフランジ１０が固定され、中間支柱４は、下部支柱２よりも少し長く、上下三箇所にフランジ１０が固定されている。
【０００９】
また、支柱３は、所定の直径を有する鋼管を用いて形成し、上端に接続用の小径ジョイントパイプ９が設けられ、中間部と上端部の位置に孔付きのフランジ１０を固定して形成され、上記ジョイントパイプ９と下部支柱２、支柱３や中間支柱４の接続は、嵌合部分をピン結合したり、ジョイントパイプ９に設けた既知のロック機構によって結合するようになっている。ちなみに、この支柱３の高さ寸法は、１８００ｍｍになっている。
【００１０】
次に、図５（Ａ）は、二本の支柱３を互いに接続するための筋交い部材５の第１の例を示し、両端に支柱３のフランジ１０との結合金具１１が取り付けられ、両側に起立させた支柱３を結合する鋼管製の水平パイプ１２と、この水平パイプ１２の中間下部に上端が溶接で固定され、下端に支柱３への外嵌金具１３が設けられ、水平パイプ１２と支柱３の途中の間に設ける斜材１４と、水平パイプ１２の端部と斜材１４の下部を固定する縦材１５とで形成されている。
【００１１】
図５（Ｂ）は、筋交い部材５の第２の例を示し、両端に支柱３のフランジ１０との結合金具１１が取り付けられ、両側に起立させた支柱３を結合する鋼管製の水平パイプ１６と、この水平パイプ１６の途中にそれぞれ上端がピン１７で枢止され、ハ字状の下部広がりに配置することができる二本の斜材１８とからなり、斜材１８の下端部に支柱３の下位フランジ１０に対する結合金具１１が取り付けられている。
【００１２】
この第２の例の筋交い部材５は、支柱３の上位に位置するフランジ１０に結合金具１１を締結することで、両側の支柱３を水平パイプ１６で結合したとき、斜材１８の結合金具１１が中間のフランジ１０と結合できるような条件になっていると共に、使用しないときは水平パイプ１６に斜材１８が沿うよう嵩低く折り畳むことができる。
【００１３】
この筋交い部材５は、何れの例においても、例えば支柱３の結合間隔が、１８００ｍｍ、１２００ｍｍ、９００ｍｍの三種類が用意され、仮設足場の組み立て条件に応じて選択できるようにしている。
【００１４】
前記した足場板６は、図７に示すように、両端部に一対のフック１９を設けた周知の構造を有し、筋交い部材５の水平パイプ１２や１６間に架設するようになっている。この足場板は１８００ｍｍの間隔の水平パイプ１６間に架設することができ、また、幅は複数種類の組み合わせによって、１８００ｍｍ、１２００ｍｍ、９００ｍｍの三種類に対応し得るよう、三種類の幅の異なるものが用意されている。
【００１５】
図６は、先行手摺り枠７を示し、パイプを下向きコ字状に折り曲げ、中間に水平の中桟２０ａを設けた枠体２０の上部両側の位置に、支柱３に対して係脱自在で上下スライド可能に係合する係止金具２１、２２を固定し、枠体２０の下端部間を幅木又はパイプ２３で結合し、該枠体２０の両側下端部に支柱３のフランジ１０に対する結合金具１１を取り付けた構造になっている。
【００１６】
この先行手摺り枠７は、１８００ｍｍの間隔で支柱を結合するよう、枠体２０の幅と係止金具２１、２２及び結合金具１１の取り付け関係が設定され、枠体２０の高さは、支柱３の中間フランジ１０と上部フランジ１０の間隔に略一致する程度になっている。
【００１７】
上記枠体２０の上部両側に設けた結合金具２１、２２は左右で構造が異なり、一方の結合金具２１は、図６（Ｂ）、（Ｃ）に示すように、金属線材を用い、支柱３に対して外嵌する平面欠円形状で、正面から見て傾斜部の両端が上下方向へ傾斜状に屈曲し、この屈曲片間が枠体２０の形成パイプを外嵌通過する間隔で開口する形状に形成され、枠体２０の外面に水平に突設した腕片２４の先端に固定されている。
【００１８】
また、他方の結合金具２２は、図６（Ｄ）、（Ｅ）に示すように、金属線材を用い、支柱３に対して外嵌する平面コ字状に形成され、枠体２０の外面に水平に突設した腕片２５の先端に固定されている。
【００１９】
この先行手摺り枠７の上部を対向する支柱３に取り付けるには、図８（Ｃ）のように、一方の結合金具２１が水平になるよう、先行手摺り枠７を該一方の結合金具２１が下がる傾斜状に保持して対向する支柱３間に配置し、先ず、この姿勢で一方の結合金具２１を一方の支柱３に外嵌し、次に、先行手摺り枠７を水平にすれば他方の結合金具２２が他方の支柱３に外嵌することになり、これによって、図９（Ａ）のように、先行手摺り枠７の上部の支柱３間への取り付けが行なえ、両結合金具２１、２２は、それぞれ支柱３に外嵌しているので、先行手摺り枠７は支柱３に沿って上下方向にスライド可能となる。
【００２０】
図５（Ｃ）は、対向する下部支柱２や中間支柱４等を互いに結合するための水平材８を示し、所定の長さを有する鋼管パイプの両端にフランジ１０に対する結合金具１１を設けた構造になっていて、先行手摺り枠７と同様、１８００ｍｍの間隔で下部支柱２や中間支柱４を結合するものと、１２００ｍｍ、９００ｍｍの間隔で結合するものとが用意されている。
【００２１】
図１１（Ａ）乃至（Ｄ）は、下部支柱２や中間支柱４、支柱３のフランジ１０に対して固定する結合金具１１の具体的な構造を示している。
【００２２】
この結合金具１１は、上記した先行手摺り枠７の下部両側、水平材８の両端、筋交い部材５の端部にそれぞれ水平状態で固定されるホルダー部材３１と、このホルダー部材３１内でフランジ１０とホルダー部材３１を締結する楔部材３２との組み合わせからなり、ホルダー部材３１は、上下に細長い前壁３３の両側に後方へ屈曲する側壁を折り曲げ連成し、該水平パイプや斜材等の端部に対して対向する両側壁の後端を溶接し、両側壁間の上下面が楔部材３２を挿通するための開口３４になっている。
【００２３】
このホルダー部材３１の前後方向の長さが、フランジ１０の結合用の孔３５を設けた部分の半径方向の長さよりも長く形成され、このホルダー部材３１には、フランジ１０の厚みに対して外嵌挿する切り欠き３６が先端部から水平方向に沿って設けられ、その先端壁３３を支柱３の外周に当接させることができるように切り欠き３６の深さが設定されている。上記切り欠き３６をフランジ１０に外嵌挿すれば、ホルダー部材３１と水平パイプや斜材等は回転が阻止されることになる。
【００２４】
上記楔部材３２は、フランジ１０の結合用の孔３５に対して上部から差し込む楔部３７と、この楔部３７の途中に設けた水平部３８と、該水平部３８の先端から直角に垂下してフランジ１０の外周と水平パイプや斜材等の端部間に納まる杆状部３９とで二又状に形成され、楔部３７は下端に向けて狭幅となり、ホルダー部材３１の前壁３３の内面に当接させる前縁が垂直で結合用の孔３５の端部に当接する後縁が傾斜縁になっている。なお、楔部３７は図示のような下部狭幅形状以外に、ストレートな形状を採用してもよい。
【００２５】
この楔部３７の上端と杆状部３９の下端に抜け止め用のピン４０、４１が固定され、ホルダー部材３１内に挿入した楔部材３２の楔部３７を結合用の孔３５に差し込んだ状態で、楔部３７の上端がホルダー部材３１の上面に突出すると共に、杆状部３９の下端がホルダー部材３１の下面から下方に突出することになる。
【００２６】
また、杆状部３９の内側縁には、係止段部４２が設けてあり、この係止段部４２をホルダー部材３１の下部横桟４３に係止すれば、図１１（Ａ）の如く、楔部材３２の楔部３７がフランジ１０と干渉しない位置に保持でき、ホルダー部材３１の切り欠き３６をフランジ１０に対して楔部材３２に関係なく嵌挿することができる。
【００２７】
フランジ１０にホルダー部材３１を嵌挿すると、杆状部３９の内側縁がフランジ１０に当接することにより、係止段部４２が下部横桟４３から外れ、楔部材３２は、自重で落下して楔部３７が結合用の孔３５に落ち込み、図１１（Ｃ）に示すように、前壁３３が支柱３等に圧接した状態で楔部３７がフランジ１０とホルダー部材３１を固定化することになる。
【００２８】
次に、先行手摺り枠を用いた足場の構築方法を説明する。
【００２９】
先ず、図８（Ａ）と（Ｂ）のように、床面の四箇所の位置にジャッキベース１を配置し、このジャッキベース１上に下部支柱２を接続し、四方の下部支柱２をフランジ１０への結合金具１１の締結により水平材８で枠状に結合し、続いて上記各下部支柱２上に支柱３を接続し、四方に起立させた支柱３の一組の対向する二面において、図９（Ｃ）のように隣接する支柱３の中間フランジ１０を筋交い部材５の水平パイプ１２で結合する。
【００３０】
また、建物と反対側の面に位置して対向する二本の支柱３間に先行手摺り枠７を臨ませ、図８（Ｃ）のように一方の結合金具２１が水平になるよう、先行手摺り枠７を該一方の結合金具２１が下がる傾斜状に保持し、先ず、この姿勢で一方の結合金具２１を一方の支柱３に外嵌し、次に、先行手摺り枠７を水平にすれば他方の結合金具２２が他方の支柱３に外嵌することになり、両結合金具２１、２２は、それぞれ支柱３に外嵌しているので、図９（Ａ）のように、先行手摺り枠７は支柱３に沿って上下方向にスライド可能となり、枠体２０の下部両端に設けた結合金具１１の支柱３の中間フランジ１０に対する位置合わせが簡単に行なえ、中間フランジ１０に結合金具１１を締結すれば、これによって、先行手摺り枠７の支柱３間への取り付けが行なえ、この後、筋交い部材５の水平パイプ１２間に足場板６を架設する。
【００３１】
足場の構築は、上記足場板６の上に載り、各支柱３の上端への支柱３の継ぎ足しと、継ぎ足した支柱３の二面において、中間フランジ１０を筋交い部材５の水平パイプ１２で結合し、かつ、対向する支柱３間への先行手摺り枠７の取り付けを上方へ順次繰り返して行なうものである。
【００３２】
この時、足場板６の上部には、四隅に支柱３が起立すると共に、対向する支柱３間には足場板６の上方に先行手摺り枠７が位置することになるので、これらによって、高所作業となる足場板６上での継ぎ足し作業が安全に行なえることになる。
【００３３】
また、上記のような支柱３の立設と筋交い部材５での結合、支柱３間への先行手摺り枠７の取り付けと、筋交い部材５間への足場板６の架設作業を横方向に繰り返すことにより、図１と図２のように、足場を組み上げることができる。
【００３４】
次に、図１２乃至図１５は、筋交い手摺り枠５１を用いた仮設足場の組み立てた状態と構成部材を示し、この仮設足場の基本的な構成部材は、上述した先行手摺り枠７を用いた仮設足場の場合において、先行手摺り枠７に代えて筋交い手摺り枠５１を用いる以外は同じである。
【００３５】
上記筋交い手摺り枠５１は、図１４に示すように、水平パイプ５２と二本の斜材５３の組み合わせからなり、水平パイプ５２の両端下部に、フランジ１０の結合用の孔３５に対して差し込む楔状の差し込み片５４と、この差し込み片５４よりも内側寄りの位置に間隔を設けて斜材取り付け片５５を下向きに固定し、斜材取り付け片５５にピン５６で枢止したロック部材５７にそれぞれ斜材５３の上端を固定し、両斜材５３の下端にフランジ１０への結合金具１１を取り付け、二本の斜材５３の交差部分を紐や番線、ワイヤー等を用いた環状体５８で保持するようにしたものである。
【００３６】
従って、両斜材５３の下端を握り、両斜材５３の交差角度が変化するように操作すれば、水平パイプ５２の上下位置が変動することになり、交差部分に遊嵌する環状体５８の移動で両斜材５３の交差角度を変化させることができる。
【００３７】
上記ロック部材５４と斜材５３は一体に回動し、図１４（Ｃ）のように、両斜材５３の下端を握り、両斜材５３を下端部で交差するような角度にしたとき、ロック部材５７は差し込み片５４から離反した位置に回動し、差し込み片５４のフランジ１０の孔３５への挿入を可能にし、また、図１４（Ｂ）のように、両斜材５３を中央で交差させた支柱３間への取り付け姿勢にすると、ロック部材５７は差し込み片５４に接近動し、差し込み片５４をフランジ１０の孔３５へ挿入した状態でフランジ１０の下面側に係合し、これにより、フランジ１０の孔３５から差し込み片５４が抜けないようにロックすることになる。
【００３８】
この筋交い手摺り枠５１の支柱３を結合する間隔は  先行手摺り枠７と同様、１８００ｍｍに設定され、支柱３の上部フランジ１０に水平パイプ５２を架設した状態で、斜材５３の下端結合金具１１を中間フランジ１０に結合することができるようになっている。
【００３９】
この筋交い手摺り枠５１を用いた足場の構築方法は、上述した先行手摺り枠７を用いた足場と同様の構築において、先行手摺り枠７に代えて筋交い手摺り枠５１を使用するものであり、支柱３の継ぎ足しを行なった後、この継ぎ足した支柱３間に筋交い手摺り枠５１を臨ませ、先ず、図１５（Ａ）のように、両斜材５３の下端を接近させて両斜材５３の交差位置を下方に移動させれば、水平パイプ５２が上昇する持ち上げ状態になり、上昇した水平パイプ５２の両端の差し込み片５４を支柱３の上部フランジ１０の孔３５に差し込んで、支柱３の上部フランジ１０間に水平パイプ５２を架設し、次に、図１５（Ｂ）のように、一方の斜材５３を上方に回動させてその下端に設けた結合金具１１を支柱３の中間フランジ１０に結合し、この後、他方の斜材５３を上方に回動させてその下端に設けた結合金具１１を支柱３の中間フランジ１０に結合すれば、図１５（Ｃ）のように、足場板６の架設に先行して支柱３間への筋交い手摺り枠５１の取り付けが行なえる。
【００４０】
このように、支柱３の上部フランジ１０が作業者の手が届かない位置にあっても、筋交い手摺り枠５１を上下に長い状態にすれば、両斜材５３の下端を握った状態で上部フランジ１０間に水平パイプ５２を架設することができ、また、足場板６の架設前に先行して筋交い手摺り枠５１を取り付けることにより、継ぎ足し作業を行なう足場板６の上部に支柱３と筋交い手摺り枠５１が位置することになり、継ぎ足し作業の安全性を確保することができる。
【００４１】
なお、上記した何れの足場においても、解体作業は、作業する足場板６の上部に支柱３と先行手摺り枠７又は筋交い手摺り枠５１が残るように、上階足場板６の取り外し、筋交い部材５の取り外し、先行手摺り枠７又は筋交い手摺り枠５１の取り外し、支柱３の抜き取りを下方に移行していけばよい。
【００４２】
図１６乃至図２１は、上述した仮設足場の各構成材を基本的に使用し、これに他の部材を組み合わせ使用することによって構築することのできる仮設構造物の幾つかの例を示している。
【００４３】
図１６は、ローリングタワーを示し、車輪６１上に下部支柱２とその上に支柱３を順次継ぎ足し、隣接する二本の下部支柱２を水平材や筋交い部材で結合し、この結合した二本の支柱３を所定の間隔で対向するように配置し、対向する支柱３間に先行手摺り枠７を取り付けると共に、対向する支柱３の水平材や筋交い部材間に足場板を架設し、上下の足場板間に階段６２をかけ渡したものである。
【００４４】
図示のように、隣接する足場板と先行手摺り枠７が段差のあるように配置すると、上下の足場板間の間隔が短くなり、階段６２の短尺化が可能になる。
【００４５】
図１７は、支保工を示し、ジャッキベース１上に下部支柱２を継ぎ足すことによって形成した柱を水平材８で順次結合して枠状に組み立て、必要な部分に足場板を架設すると共に斜材６３で補強し、柱の上端に大引６４等の支持部材６５を取り付けた構造になっている。
【００４６】
図１８は、室内足場を示し、ジャッキベース１上に下部支柱２を継ぎ足すことによって形成した柱を水平材８で順次結合して枠状に組み立て、上面に足場板を架設することによって形成した構造になっている。
【００４７】
図１９は、安全通路を示し、ジャッキベース１上に下部支柱２を継ぎ足すことによって形成した柱と、支柱３を混合して用い、柱相互及び支柱相互を水平材８で結合し、水平材８間に足場板６を架設すると共に、柱と支柱３間、支柱３と支柱３間に先行手摺り枠７を取り付けると共に、必要な部分を斜材６３で補強した構造になっている。
【００４８】
図２０と２１は、仮設足場に組み合わせるベランダブリッジを示し、建物のベランダ上に伸縮支柱６６と下部支柱２を継ぎ足すことによって形成した柱を立設し、この二本の柱を水平材８で結合すると共に、この柱と仮設足場の支柱３を水平材８で結合し、水平材８間に足場板６を架設すると共に、足場板６とベランダの床面間に階段６２をかけ渡したものである。
【００４９】
このように、上述した仮設足場の各構成材は、各種仮設構造物の構成材として多目的な用途に使用することができる。
【００５０】
【発明の効果】
以上のように、この発明によると、孔付きのフランジが固定された支柱を順次継ぎ足し、隣接する支柱を所定の間隔で結合すると共に、足場板を架設することによって組み立てる仮設構造物において、下階の足場板上で支柱の継ぎ足しと、継ぎ足した支柱間への先行手摺り枠又は筋交い手摺り枠の取り付けを、上階足場板の架設に先行して行なうようにしたので、足場板の上部周囲に先行して安全手摺り枠を配置することができ、上階足場板上での支柱の継ぎ足しや先行手摺り枠又は筋交い手摺り枠の取り付け作業を行なうとき、すでに上階足場板の上部周囲に、支柱と先行手摺り枠又は筋交い手摺り枠が位置することになり、従って、高所作業となる足場板上での組み立て作業の安全性を支柱と先行手摺り枠又は筋交い手摺り枠で確保でき、仮設構造物の組み立てが安全に行なえるようになる。
【００５１】
また、仮設構造物の構成部材である支柱、先行手摺り枠又は筋交い手摺り枠等は汎用性があり、既存の部材との組み合わせで多様な仮設構造物の構築が可能となり、構成部材の多目的利用によって種々の仮設構造物を構築することができる。
【図面の簡単な説明】
【図１】先行手摺り枠を用いた仮設足場の組み立てた状態を示す正面図
【図２】同上の側面図
【図３】同上において第２の例の筋交い部材を用いた側面図
【図４】（Ａ）乃至（Ｃ）は支柱の異なった例を示す正面図、（Ｄ）はジャッキベースの正面図
【図５】（Ａ）は第１の例の筋交い部材の正面図、（Ｂ）は同第２の例の筋交い部材の正面図、（Ｃ）は水平材の正面図
【図６】（Ａ）は先行手摺り枠の正面図、（Ｂ）は同上に設ける一方の結合金具を示す拡大平面図、（Ｃ）は同正面図、（Ｄ）は同上に設ける他方の結合金具を示す拡大平面図、（Ｅ）は同正面図
【図７】（Ａ）乃至（Ｃ）は幅の異なる足場板の平面図
【図８】（Ａ）乃至（Ｃ）は仮設足場の構築工程を示す説明図
【図９】（Ａ）乃至（Ｃ）は仮設足場の構築工程を示す説明図
【図１０】（Ａ）と（Ｂ）は仮設足場の構築工程を示す説明図
【図１１】（Ａ）は結合金具の縦断正面図、（Ｂ）は同上のフランジに対する結合途中の状態を示す縦断正面図、（Ｃ）は同結状態を示す縦断正面図、（Ｄ）は同結状態の平面図
【図１２】筋交い手摺り枠を用いた仮設足場の組み立てた状態を示す正面図
【図１３】同上の側面図
【図１４】（Ａ）は筋交い手摺り枠の正面図、（Ｂ）は同上におけるロック部材の開放姿勢を示す拡大正面図、（Ｃ）は同上におけるロック部材の係合姿勢を示す拡大正面図
【図１５】（Ａ）乃至（Ｃ）は筋交い手摺り枠の姿勢の変化を示す正面図
【図１６】仮設構造物として組み立てたローリングタワーを示す正面図
【図１７】仮設構造物として組み立てた支保工を示す正面図
【図１８】仮設構造物として組み立てた室内足場を示す正面図
【図１９】（Ａ）は仮設構造物として組み立てた安全通路を示す正面図、（Ｂ）は同側面図
【図２０】（Ａ）は仮設構造物として組み立てたベランダブリッジを示す正面図
【図２１】同上の側面図
【符号の説明】
１  ジャッキベース
２  下部支柱
３  支柱
４  中間支柱
５  筋交い部材
６  足場板
７  先行手摺り枠
８  水平材
５１  筋交い手摺り枠
【図１】
0003907367.tif 000002
【図２】
0003907367.tif 000003
【図３】
0003907367.tif 000004
【図４】
0003907367.tif 000005
【図５】
0003907367.tif 000006
【図６】
0003907367.tif 000007
【図７】
0003907367.tif 000008
【図８】
0003907367.tif 000009
【図９】
0003907367.tif 000010
【図１０】
0003907367.tif 000011
【図１１】
0003907367.tif 000012
【図１２】
0003907367.tif 000013
【図１３】
0003907367.tif 000014
【図１４】
0003907367.tif 000015
【図１５】
0003907367.tif 000016
【図１６】
0003907367.tif 000017
【図１７】
0003907367.tif 000018
【図１８】
0003907367.tif 000019
【図１９】
0003907367.tif 000020
【図２０】
0003907367.tif 000021
【図２１】
0003907367.tif 000022